(57)【要約】【課題】複数の電線の断面形状を容易に変更できるようにすることを目的とする。【解決手段】電線モジュール１０Ａ、１０Ｂは、複数の電線の１２と、複数の電線２２の延在方向の一部を覆う筒形状に形成されると共に、その一端側開口の内周部３２とその他端側開口の内周部３４とが異なる形状に形成された配列状態保持具３０とを備える。複数の電線２２が、配列状態保持具３０の一端側開口でその内周部３２の形状に応じた配列状態に保持されつつ外部に向けて延出すると共に、配列状態保持具３０の他端側開口でその内周部３４の形状に応じた配列状態に保持されつつ外部に向けて延出している。【選択図】図３
2016111752.tif 000002
【特許請求の範囲】
【請求項１】
複数の電線と、
前記複数の電線の延在方向の一部を覆う筒形状に形成されると共に、その一端側開口の内周部とその他端側開口の内周部とが異なる形状に形成された配列状態保持具と、
を備え、
前記複数の電線が、前記配列状態保持具の一端側開口でその内周部の形状に応じた配列状態に保持されつつ外部に向けて延出すると共に、前記配列状態保持具の他端側開口でその内周部の形状に応じた配列状態に保持されつつ外部に向けて延出している、電線モジュール。
【請求項２】
請求項１に記載の電線モジュールであって、
前記配列状態保持具の一端側開口の内周部が、円形状に形成されている、電線モジュール。
【請求項３】
請求項２に記載の電線モジュールであって、
前記複数の電線のうち前記配列状態保持具の一端側開口から延出する側の端部が、共通する端子に接続されている、電線モジュール。
【請求項４】
請求項１〜請求項３のいずれか１項に記載の電線モジュールであって、
前記配列状態保持具の他端側開口の内周部が、偏平な形状に形成されている、電線モジュール。
【請求項５】
請求項１〜請求項４のいずれか１項に記載の電線モジュールであって、
前記配列状態保持具は、その延在方向に沿ってスリットが形成されると共に、内部空間を小さくするように変形可能な筒形状部材であり、
前記配列状態保持具内に前記複数の電線が配設された状態で、前記配列状態保持具がその内部空間を小さくするように締付部材によって締付けられている、電線モジュール。
【請求項６】
請求項１〜請求項４のいずれか１項に記載の電線モジュールであって、
前記配列状態保持具は、合体状態で１つの筒形状を形成するように分割された複数の分割体を含み、
前記複数の分割体が、それらの間に前記複数の電線を配設した状態で合体した状態に維持されている、電線モジュール。
【請求項７】
複数の電線の延在方向の一部に装着される電線の配列状態保持具であって、
前記複数の電線の延在方向の一部を覆う筒形状に形成されると共に、その一端側開口の内周部とその他端側開口の内周部とが異なる形状に形成された電線の配列状態保持具。
【発明の詳細な説明】
【技術分野】
【０００１】
この発明は、複数の電線の配列状態を保持する技術に関する。
【背景技術】
【０００２】
特許文献１は、複数の絶縁電線を並列させ、その並列面の両側から複数の絶縁電線を接着テープで挟んで固定したフラットケーブルを開示している。
【０００３】
このようなフラットケーブルは、複数の電線を、狭いスペースに配設したい場合、或は、ある方向に大きく曲げたいような場合に適する。
【先行技術文献】
【特許文献】
【０００４】
【特許文献１】特開２０１２−３９６７号公報
【発明の概要】
【発明が解決しようとする課題】
【０００５】
ところで、複数の電線が共通する端子に接続される場合、或は、複数の電線が円形状の孔に通して配設される場合等がある。しかしながら、特許文献１に開示のフラットケーブルは、複数の電線が並列状態に保持された構成であるため、上記のような箇所に用いるのには適さない。
【０００６】
そこで、本発明は、複数の電線の断面形状を容易に変更できるようにすることを目的とする。
【課題を解決するための手段】
【０００７】
上記課題を解決するため、第１の態様は、複数の電線と、前記複数の電線の延在方向の一部を覆う筒形状に形成されると共に、その一端側開口の内周部とその他端側開口の内周部とが異なる形状に形成された配列状態保持具とを備え、前記複数の電線が、前記配列状態保持具の一端側開口でその内周部の形状に応じた配列状態に保持されつつ外部に向けて延出すると共に、前記配列状態保持具の他端側開口でその内周部の形状に応じた配列状態に保持されつつ外部に向けて延出しているものである。
【０００８】
第２の態様は、第１の態様に係る電線モジュールであって、前記配列状態保持具の一端側開口の内周部が、円形状に形成されているものである。
【０００９】
第３の態様は、第２の態様に係る電線モジュールであって、前記複数の電線のうち前記配列状態保持具の一端側開口から延出する側の端部が、共通する端子に接続されているものである。
【００１０】
第４の態様は、第１〜第３のいずれか１つの態様に係る電線モジュールであって、前記配列状態保持具の他端側開口の内周部が、偏平な形状に形成されているものである。
【００１１】
第５の態様は、第１〜第４のいずれか１つの態様に係る電線モジュールであって、前記配列状態保持具は、その延在方向に沿ってスリットが形成されると共に、内部空間を小さくするように変形可能な筒形状部材であり、前記配列状態保持具内に前記複数の電線が配設された状態で、前記配列状態保持具がその内部空間を小さくするように締付部材によって締付けられているものである。
【００１２】
第６の態様は、第１〜第４のいずれか１つの態様に係る電線モジュールであって、前記配列状態保持具は、合体状態で１つの筒形状を形成するように分割された複数の分割体を含み、前記複数の分割体が、それらの間に前記複数の電線を配設した状態で合体した状態に維持されているものである。
【００１３】
第７の態様は、複数の電線の延在方向の一部に装着される電線の配列状態保持具であって、前記複数の電線の延在方向の一部を覆う筒形状に形成されると共に、その一端側開口の内周部とその他端側開口の内周部とが異なる形状に形成されたものである。
【発明の効果】
【００１４】
第１の態様によると、配列状態保持具の一端側開口の内周部とその他端側開口の内周部とが異なる形状に形成されている。また、複数の電線が、配列状態保持具の一端側開口でその内周部の形状に応じた配列状態に保持されつつ外部に向けて延出すると共に、配列状態保持具の他端側開口でその内周部の形状に応じた配列状態に保持されつつ外部に向けて延出している。このため、複数の電線が、配列状態保持具の一端側の外方と他端側の外方とで、異なる断面形状となるように保持される。これにより、複数の電線の断面形状を容易に変更できる。
【００１５】
第２の態様によると、複数の電線をなるべく集中させた配列状態に保持することができる。
【００１６】
第３の態様によると、複数の電線が集中した配列状態に保持された状態で、それらの端部が共通する端子に接続されるため、その接続を容易に行うことができる。
【００１７】
第４の態様によると、複数の電線を偏平な配列状態に保持することができる。これにより、複数の電線を狭いスペースに容易に配設でき、或は、複数の電線を容易に曲げることができる。
【００１８】
第５の態様によると、複数の電線を、スリットを通じて配列状態保持具内に配設することができる。そして、配列状態保持具を締付部材によって締付けることによって、配列状態保持具を複数の電線に装着することができる。
【００１９】
第６の態様によると、複数の分割体内に容易に複数の電線を配設することができる。そして、複数の分割体を合体状態に維持することで、配列状態保持具を複数の電線に装着することができる。
【００２０】
第７の態様によると、配列状態保持具の一端側開口の内周部とその他端側開口の内周部とが異なる形状に形成されている。このため、複数の電線を、配列状態保持具の一端側開口でその内周部の形状に応じた配列状態に保持されつつ外部に向けて延出させると共に、配列状態保持具の他端側開口でその内周部の形状に応じた配列状態に保持されつつ外部に向けて延出させることができる。これにより、複数の電線を、配列状態保持具の一端側の外方と他端側の外方とで、異なる断面形状となるように保持することができる。これにより、複数の電線の断面形状を容易に変更できる。
【図面の簡単な説明】
【００２１】
【図１】実施形態に係る電線モジュールの適用例を示す配線図である。
【図２】電線モジュールのうち配列状態保持具が設けられた部分を示す平面図である。
【図３】同上の部分を示す概略斜視図である。
【図４】図２のＩＶ−ＩＶ線における概略断面図である。
【図５】図２の図２のＩＶ−ＩＶ線において配列状態保持具を電線に装着する前の状態を示す概略断面図である。
【図６】図２のＶＩ−ＶＩ線における概略断面図である。
【図７】偏平配列状態保持具を示す概略斜視図である。
【図８】同上の偏平配列状態保持具の概略正面図である。
【図９】他の偏平配列状態保持具を示す概略斜視図である。
【図１０】さらに他の偏平配列状態保持具を示す概略斜視図である。
【図１１】変形例に係る配列状態保持具を示す概略斜視図である。
【図１２】同上の配列状態保持具を電線に装着する前の状態を示す概略斜視図である。
【発明を実施するための形態】
【００２２】
以下、実施形態に係る電線モジュール及び電線の配列状態保持具について説明する。
【００２３】
図１は電線モジュール１０Ａ、１０Ｂの適用例を示す配線図である。電線モジュール１０Ａ、１０Ｂは、車両における各種電気部品を接続するための配線部材である。図１に示す配線図では、電気部品の例として、オルタネータ１１、電源ボックス１２及びバッテリ１３が示されている。オルタネータ１１は、エンジンの回転を動力源として電力を生成する発電機であり、バッテリ１３は、オルタネータ１１等によって生成された電力を蓄える２次電池ある。電源ボックス１２は、オルタネータ１１及びバッテリ１３からの電力を車両の各種電気部品に分配する電源分配回路等を内蔵している。
【００２４】
電線モジュール１０Ａは、オルタネータ１１と電源ボックス１２との間を電気的に接続する配線部材であり、電線モジュール１０Ｂは、電源ボックス１２とバッテリ１３とを電気的に接続する配線部材である。電線モジュール１０Ｂは、車両におけるパネル１４に形成された貫通孔を通って配設される。電線モジュール１０Ｂのうち前記貫通孔を通る部分には、ゴム等の弾性材料によって形成されたグロメット１６が装着されている。グロメット１６は、筒形状に形成されており、電線モジュール１０Ｂに装着された状態で貫通孔に嵌め込まれる。これにより、電線モジュール１０Ｂと貫通孔との直接的な接触が抑制されると共に、パネル１４の両面間での止水が図られている。
【００２５】
図２は電線モジュール１０Ａのうち配列状態保持具３０が設けられた部分を示す平面図であり、図３は同部分を示す概略斜視図であり、図４は図２のＩＶ−ＩＶ線における概略断面図であり、図５は図２の図２のＩＶ−ＩＶ線において配列状態保持具３０を電線２２に装着する前の状態を示す概略断面図であり、図６は図２のＶＩ−ＶＩ線における概略断面図である。
【００２６】
電線モジュール１０Ａは、複数の電線２２と、配列状態保持具３０とを備える。
【００２７】
電線２２は、芯線２２ａと、芯線２２ａの周囲を覆う被覆２２ｂとを備える。芯線２２ａは、銅、銅合金、アルミニウム、アルミニウム合金等の金属製の線状部材である。芯線２２ａは、複数の素線が撚り合わされた構成であってもよいし、単線により構成されていてもよい。被覆２２ｂは、樹脂等によって形成された絶縁部材であり、押出被覆等によって芯線２２ａを覆うように形成されている。
【００２８】
電線２２の一端部では、被覆２２ｂが剥離され、芯線２２ａが露出している。全ての複数の電線２２の端部の芯線２２ａは、揃えて束ねられて共通する１つの端子２８に接続されている。ここでは、端子２８は、一端部に圧着部２８ａが形成されると共に、他端部に環状の接続部２８ｂが形成された端子、いわゆる丸形端子である。端子２８の圧着部２８ａは、束ねられた芯線２２ａに圧着接続されている。もっとも、束ねられた芯線２２ａと端子とが、超音波接合、半田付、抵抗溶接等によって接続されていてもよい。また、接続部２８ｂは、接続先となるオルタネータ１１、電源ボックス１２等にネジ止によって接続可能に構成されている。もっとも、接続部２８ｂは、接続先となる部材に対して、挿入接続等される部分であってもよい。
【００２９】
また、電線２２の他端部でも、同様に、全ての複数の電線２２の端部の芯線２２ａが共通する１つの端子２８に接続されている。
【００３０】
複数の電線２２の芯線２２ａは、その両端のそれぞれにおいて、共通する１つの端子２８に接続されているため、上記複数の電線２２の芯線２２ａは、１つの導電路を形成している。これによるメリットは次の通りである。すなわち、電源回路では大電流が流れるため、導電路の断面積を大きくすることが好ましい。導電路を１つの電線によって構成しようとすると、当該電線の導体断面積を大きくする必要がある。すると、電線が曲り難くなり、車両に配設することが困難となってしまう。そこで、ここでは、１つの導電路を複数の電線２２によって構成している。この場合、複数の電線２２のそれぞれの断面積を小さくすることができ、また、複数の電線２２は個別に曲ることができるため、複数の電線２２を集合させた形態においても曲り易くなる。これにより、電線モジュール１０Ａを容易に曲げて車両に配設することができる。
【００３１】
もっとも、複数の電線２２が共通する端子２８に接続されることは必須ではない。それぞれ別々の端子に接続され、別々の回路を構成するものであってもよい。
【００３２】
配列状態保持具３０は、樹脂等によって形成された部材であり、複数の電線２２の延在方向の一部を覆う筒形状に形成されている。ここでは、複数の電線２２の両端部のそれぞれに、配列状態保持具３０が装着されている。
【００３３】
配列状態保持具３０の一端側（図２及び図３の左端側）開口の内周部３２と、他端側（図２及び図３の右端側）開口の内周部３４とは異なる形状に形成されている。
【００３４】
ここでは、配列状態保持具３０の一端側開口の内周部３２は、円形状に形成されている。そして、複数の電線２２がこの内周部３２を通ってその外方に延出する際に、内周部３２の形状に応じて、その延在方向に対して直交する方向における断面形状の外周形状が円形となる配列状態に保持される。このように延出する複数の電線２２の端部が上記端子２８に接続されている。なお、内周部３２の大きさは、電線２２の径、本数等に応じて、複数の電線２２が円形断面形状をなすように保持できる程度の大きさに設定されている。
【００３５】
なお、配列状態保持具３０の一端側開口の外周部の形状は、どのような形状であってもよい。ここでは、配列状態保持具３０の各部の厚みが同じとなるように形成されているため、配列状態保持具３０の一端側開口の外周部の形状は、円形状をなしている。なお、配列状態保持具３０の一端部は、その開口部の形状が続く円筒状に形成されているがこれは必須ではない。
【００３６】
また、配列状態保持具３０の他端側開口の内周部３４は、偏平な形状に形成されている。ここでは、内周部３４は、対向する一組の辺が、対向する他の一組の辺よりも長い長方形状に形成されている。そして、複数の電線２２がこの内周部３４を通ってその外方に延出する際に、内周部３４の形状に応じて、偏平な配列状態に保持される。ここでは、複数の電線２２は、その延在方向に対して直交する方向における断面形状の外周形状が長方形状となるように保持される。そして、このように延出する複数の電線２２の他端部が車両における所定の配設経路に沿って敷設される。なお、内周部３４の大きさは、電線２２の径、本数等に応じて、複数の電線２２が偏平な配列状態を保持できる程度の大きさに設定されている。
【００３７】
なお、配列状態保持具３０の他端側開口の外周部の形状は、どのような形状であってもよい。ここでは、配列状態保持具３０の各部の厚みが同じとなるように形成されているため、配列状態保持具３０の他端側開口の外周部の形状は、長方形状をなしている。なお、配列状態保持具３０の他端部は、その開口部の形状が続く偏平角筒状に形成されているがこれは必須ではない。
【００３８】
また、配列状態保持具３０のうち、上記一端部と他端部との間の中間部は、その一端部から他端部に向けて、円形状から長方形状への徐々に変形する筒形状に形成されている。もっとも、これは必須ではなく、一端部の円筒状部分と他端部の偏平角筒状部分とが直接繋がっていてもよい。
【００３９】
また、配列状態保持具３０内に複数の電線２２を容易に配設することができるように、配列状態保持具３０は、その延在方向に沿ってスリット３６が形成されると共に、その内部空間の断面の大きさを小さくするように変形可能な筒形状部材に形成されている。
【００４０】
図３〜図６に示す例では、配列状態保持具３０の一側部にその延在方向に沿ってスリット３６が形成されている。好ましくは、配列状態保持具３０を複数の電線２２に装着する前の状態では、スリット３６は、電線２２の直径と同じかそれ以上の大きさの幅寸法に開いている（図５参照）。そして、電線２２を、スリット３６を通じて配列状態保持具３０内に配設することができるようになっている。
【００４１】
また、複数の電線２２の全てを配列状態保持具３０に配設した状態で、締付部材３８が配列状態保持具３０を締付けてその内部空間を小さくするように変形させる。締付部材３８としては、電線等を束ねるために用いられる結束バンド、又は、粘着テープ等が想定される。締付部材３８が配列状態保持具３０を締付けてその内部空間を小さくするように変形させることによって、配列状態保持具３０が複数の電線２２をより集合させる。これにより、配列状態保持具３０の両端部において、複数の電線２２がその開口部の内周部３２、３４に応じた配列状態により確実に保持される。
【００４２】
また、締付部材３８が配列状態保持具３０の周りを覆うため、電線２２がスリット３６を通じて外方にはみ出難くなる。特に、締付部材３８がスリット３６を閉じるまで、配列状態保持具３０を締付けることによって、電線２２がより確実にスリット３６から外方にはみ出難くなる。もっとも、これは必須ではなく、スリット３６がある程度の隙間を空けた状態のままとされてもよい。
【００４３】
このように構成された電線モジュール１０Ａ及び配列状態保持具３０によると、配列状態保持具３０の一端側開口の内周部３２とその他端側開口の内周部３４とが異なる形状に形成されている。そして、複数の電線２２が、配列状態保持具３０の一端側開口でその内周部の形状に応じた配列状態に保持されつつ外部に向けて延出すると共に、配列状態保持具３０の他端側開口でその内周部３４の形状に応じた配列状態に保持されつつ外部に向けて延出している。このため、複数の電線２２が、配列状態保持具３０の一端側の外方と他端側の外方とで、異なる断面形状となるように保持される。これにより、複数の電線の集合体の断面形状を容易に変更できる。
【００４４】
上記配列状態保持具３０の一端側開口の内周部３２及び他端側開口の内周部３４の形状としてどのような形状が好ましいかについては、複数の電線２２の配設先によって異なる。
【００４５】
例えば、上記のように、複数の電線２２が共通する１つの端子２８に接続されるような場合には、配列状態保持具３０の一端側開口のように、内周部３２が円形状に形成さされていることが好ましい。これにより、配列状態保持具３０から延出する複数の電線２２及びその端部に露出する芯線２２ａを円形状に束ねた状態に保持することができ、複数の芯線２２ａを端子２８に対して容易に接続することができるからである。
【００４６】
また、例えば、狭いスペース、或は、一定方向に大きく曲げて配設したいような場合には、配列状態保持具３０の他端側開口のように、内周部３４が偏平形状に形成されていることが好ましい。これにより、配列状態保持具３０から延出する複数の電線２２がある程度偏平に束ねられた状態に保持され、これを狭いスペースに容易に配設することができることになる。また、偏平に束ねられた複数の電線２２をその厚み方向において容易に曲げることができ、一定方向に曲げつつ容易に配設することが可能になる。
【００４７】
このように、配列状態保持具３０の一端側の開口の内周部３２を円形状にし、他端側の開口の内周部３４を偏平な形状に形成することによって、端子２８への接続作業性と、複数の電線２２の車両への配索作業性に優れた構成とすることができる。
【００４８】
もっとも、配列状態保持具の一端側開口の内周部及び他端側開口の内周部の形状は、その他の形状であってもよい。例えば、複数の電線の配設スペースが、正方形柱状の空間、三角柱状の空間である場合等には、それらの形状に合わせて、配列状態保持具の一端側開口の内周部又は他端側開口の内周部の形状が、正方形状又は三角形状に形成されていてもよい。また、複数の電線の配設スペースが、円形状の空間である場合には、その先に端子が接続されるか否かを問わず、配列状態保持具の一端側開口の内周部又は他端側開口の内周部の形状が、円形状に形成されていてもよい。
【００４９】
なお、上記実施形態において、複数の電線２２のうち配列状態保持具３０から離れた部分をも、偏平な配列状態に保つため、図７〜図１０に示すような、偏平配列状態保持具６０、７０、８０を用いるとよい。
【００５０】
図７及び図８に示す偏平配列状態保持具６０は、樹脂等によって形成された金型成形部品であり、方形板状の底部６１の両側部に側壁部６２が立設された構成とされている。底部６１の幅寸法に比べて、側壁部６２の突出寸法は小さい（ここでは十分に小さい）。そして、複数の電線２２の延在方向中間部が、底部６１上であって一対の側壁部６２の間に収容される。この状態で、偏平配列状態保持具６０及び複数の電線２２の周りに、粘着テープ或は結束バンド等の結束部材６８が巻付けられる。これにより、複数の電線２２が、本偏平配列状態保持具６０が装着された部分及びその周辺で偏平な配列状態に保持される。これにより、複数の電線２２を狭いスペースに容易に配設することができる。
【００５１】
図９に示す偏平配列状態保持具７０は、樹脂等によって形成された金型成形部品であり、上記偏平配列状態保持具６０と同様構成の偏平配列状態保持部７１が複数（ここでは２つ）、連結部７２を介して連結された構成とされている。連結部７２は、隣合う偏平配列状態保持部７１の一対の側壁部６２同士を連結しており、また、隣合う偏平配列状態保持部７１の間をその厚み方向に曲げることができるように変形可能な細い形状部分とされている。
【００５２】
そして、各偏平配列状態保持部７１を上記と同様に複数の電線２２に装着する。この状態で、複数の偏平配列状態保持部７１の間の連結部７２を曲げることによって、複数の電線２２を偏平な配列状態に保ちつつ、その厚み方向に曲げることができるようになっている。これにより、複数の電線２２を狭いスペースに容易に配設しつつ、曲げることができる。
【００５３】
また、図１０に示す偏平配列状態保持具８０は、樹脂等によって形成された金型成形部品であり、上記偏平配列状態保持具６０と同様構成の偏平配列状態保持部８１が複数（ここでは２つ）直接的に連結された構成とされている。ここでは、２つの偏平配列状態保持部８１の底部６１がＬ字状に曲げられた状態で連結され、その両側部のそれぞれで側壁部６２がＬ字状に連なっている。そして、各偏平配列状態保持部８１内に複数の電線２２を収容するようにして、偏平配列状態保持部８１を複数の電線２２に装着する。これにより、複数の電線２２が、偏平な配列状態に保たれつつ、その厚み方向に曲げられた状態に保持される。これにより、複数の電線２２を、Ｌ字状に曲る狭いスペースに容易に配設することができる。
【００５４】
また、電線モジュール１０Ｂは、上記電線モジュール１０Ａと同様構成において、その複数の電線２２の延在方向中間部がグロメット１６の円筒状部分に通された構成とされている。このため、複数の電線２２のうちグロメット１６に通される部分では、当該複数の電線２２は断面円形状に束ねられていることが好ましい。そこで、電線モジュール１０Ｂのうちグロメット１６の両端側開口の外方部分には、上記配列状態保持具３０が装着されている。配列状態保持具３０の一端側開口の内周部３２は、グロメット１６側に向けられている。従って、複数の電線２２は、配列状態保持具３０からグロメット１６側に引き出される部分では、断面円形状に配列された状態に保持されており、この状態で、グロメット１６に通されている。このため、複数の電線２２をグロメット１６に容易に通すことができる。また、複数の電線２２をグロメット１６内に通した状態で、グロメット１６の筒状部分の内周部が複数の電線２２の外周部になるべく均一な態様で接触する。
【００５５】
また、本実施形態では、配列状態保持具３０にスリット３６が形成されているため、複数の電線２２を、スリット３６を通じて配列状態保持具３０内に容易に配設することができる。また、締付部材３８によって配列状態保持具３０を締付けることによって、当該配列状態保持具３０を複数の電線２２に容易に装着することができる。
【００５６】
しかも、締付部材３８の締付け度合を調整することによって、配列状態保持具３０の各開口部の内周部３２、３４の大きさを調整することができるため、電線２２の本数の変更にも容易に対応できるというメリットがある。
【００５７】
もっとも、配列状態保持具３０が、スリット３６が形成された筒形状をなしていることは必須ではない。
【００５８】
例えば、図１１及び図１２に示す変形例に係る配列状態保持具１３０は、合体状態で、上記配列状態保持具３０がなす筒形状と同様形状を形成するように分割された複数の分割体１３６を備える。ここでは、上記配列状態保持具３０がなす筒形状を、その軸方向に沿って２分割することで、半筒状の分割体１３６が２つ形成されている。もっとも、分割体は、筒形状を３つ以上に分割した形状であってもよい。
【００５９】
２つの分割体１３６の一側部は、ヒンジ部１３９を介して開閉可能に連結されている。ここでは、２つの分割体１３６の一端側（方形状に形成された側の端部）の一側部同士がヒンジ部１３９を介して開閉可能に連結されている。
【００６０】
また、一方の分割体１３６の他側部には、ロック孔が形成されたロック受部１３７が形成されており、他方の分割体１３６の他側部には、上記ロック受部１３７に挿入可能なロック突部１３８が突設されている。ロック突部１３８の先端部には外向きに突出する突部１３８ａが形成されている。
【００６１】
そして、一対の分割体１３６を開いた状態で、一方の分割体１３６上に複数の電線２２を容易に配設することができる。この後、一対の分割体１３６を閉じ合わせて、ロック突部１３８をロック受部１３７に挿入してロックすることにより、一対の分割体１３６が閉じられた状態に保持される。これにより、配列状態保持具１３０内に容易に複数の電線２２を収容することができる。
【００６２】
なお、ここでは、一対の分割体１３６がヒンジ部１３９を介して連結されている例で説明したが、一対の分割体が連結されず分離した構成とされていてもよい。この場合、一対の分割体の両側部にロック受部及びロック突部を設ければよい。
【００６３】
また、上記ロック受部及びロック突部が省略され、一対の分割体を閉じ合わせた状態が、その周りに巻付けられた粘着テープ又は結束バンド等の結束部材によって保持されていてもよい。
【００６４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６５】
１０Ａ，１０Ｂ  電線モジュール
２２  電線
２８  端子
３０，１３０  配列状態保持具
３２，３４  内周部
３６  スリット
３８  締付部材
１３６  分割体
【図１】
2016111752.tif 000003
【図２】
2016111752.tif 000004
【図３】
2016111752.tif 000005
【図４】
2016111752.tif 000006
【図５】
2016111752.tif 000007
【図６】
2016111752.tif 000008
【図７】
2016111752.tif 000009
【図８】
2016111752.tif 000010
【図９】
2016111752.tif 000011
【図１０】
2016111752.tif 000012
【図１１】
2016111752.tif 000013
【図１２】
2016111752.tif 000014